(57)【要約】      （修正有）【課題】生物付着防止のためのＵＶ及び／又は可視放射要素をもつシステムにおいて水に対して保護された電気コンポーネントを提供する。【解決手段】光源２２０を含む電気コンポーネント１２２０と、ＵＶ放射及び可視放射のうちの１つ又は複数に対して透過性であるシリコーンを含む媒体材料２７５を含む光学媒体２７０（ＵＶ放出要素２１０）であって、電気コンポーネント１２２０は、光学媒体２７０に埋め込まれている、光学媒体２７０と、電気コンポーネント１２２０とを光学媒体２７０の外に機能的に結合させるための電気コネクタ５１０は、電気コネクタ５１０の長さの少なくとも一部にわたって光学媒体２７０に埋め込まれている、水障壁５３０は、電気コネクタ５１０と、光学媒体２７０とに少なくとも部分的に埋め込まれ、電気コネクタ５１０の少なくとも一部を密閉する。【選択図】図２Ａ
2020194778.tif 000002
【特許請求の範囲】
【請求項１】
（ｉ）電気コンポーネントと、
（ｉｉ）ＵＶ放射及び可視放射のうちの１つ又は複数に対して透過性であるシリコーンを含む媒体材料を含む光学媒体であって、前記電気コンポーネントが前記光学媒体に埋め込まれている、光学媒体と、
（ｉｉｉ）前記電気コンポーネントを前記光学媒体の外に機能的に結合させるための電気コネクタであって、前記電気コネクタの長さの少なくとも一部にわたって前記光学媒体に埋め込まれている、電気コネクタと、
（ｉｖ）前記光学媒体に少なくとも部分的に埋め込まれ、前記電気コネクタの少なくとも一部を密閉する水障壁と
を備える、要素。
【請求項２】
前記水障壁が前記媒体材料及び前記電気コネクタに接着し、前記水障壁がシリコーン接着剤を含む、請求項１に記載の要素。
【請求項３】
前記水障壁が、第１のコネクタ部分の少なくとも一部を密閉し０．１〜５０ｍｍの範囲から選択された長さを有する管状ガラス外囲器と、シリコーン接着剤とを含む、請求項１又は２に記載の要素。
【請求項４】
前記水障壁の位置において、前記電気コネクタが金属で構成され、前記水障壁が、水密金属ガラス接続部を形成するガラスを含む、請求項１乃至３のいずれか一項に記載の要素。
【請求項５】
前記媒体材料がポリジメチルシリコーンを含む、請求項１乃至４のいずれか一項に記載の要素。
【請求項６】
前記電気コネクタが、前記光学媒体に埋め込まれた第１のコネクタ部分と、前記第１のコネクタ部分が前記光学媒体の外から物理的に接触可能であるインタフェースコネクタ部分とを含み、前記水障壁が、前記インタフェースコネクタ部分から１〜４００ｍｍの範囲から選択された第１の距離に配置される、請求項１乃至５のいずれか一項に記載の要素。
【請求項７】
１ｍ２の前記光学媒体当たり１〜２０００個の前記水障壁を含む、請求項１乃至６のいずれか一項に記載の要素。
【請求項８】
ＵＶ放射及び可視放射のうちの１つ又は複数を含む要素放射を供給し、前記要素が、
（ｉ）ＵＶ波長範囲及び可視波長範囲のうちの１つ又は複数の範囲内の光源放射を供給する光源を含む前記電気コンポーネントと、
（ｉｉ）前記光学媒体であって、前記光源が前記光学媒体に埋め込まれている、前記光学媒体と、
（ｉｉｉ）前記光学媒体の外にある電力源に前記光源を機能的に結合させるための前記電気コネクタであって、前記光学媒体に埋め込まれた第１のコネクタ部分、及び前記第１のコネクタ部分が前記光学媒体の外から物理的に接触可能であるインタフェースコネクタ部分を含む、前記電気コネクタと
（ｉｖ）前記水障壁と
を含む、請求項１乃至７のいずれか一項に記載の要素。
【請求項９】
（ｉ）複数の光源と、
（ｉｉ）前記光学媒体であって、前記複数の光源が前記光学媒体に埋め込まれている、前記光学媒体と、
（ｉｉｉ）前記光学媒体の外にある電力源に前記複数の光源を機能的に結合させるための電気コネクタインフラストラクチャであって、前記複数の光源に機能的に結合された複数の第１のコネクタ部分を含む、電気コネクタインフラストラクチャと、
（ｉｖ）前記要素にわたって分布した複数の前記水障壁と
を含む、請求項８に記載の要素。
【請求項１０】
１つ又は複数の光源のサブセットが、１つ又は複数の第１のコネクタ部分に機能的に結合され、すべての第１のコネクタ部分が１つ又は複数の水障壁を含む、請求項８又は９に記載の要素。
【請求項１１】
前記要素が、ＵＶ放射を含む要素放射を供給する、請求項８乃至１０のいずれか一項に記載の要素。
【請求項１２】
請求項８乃至１１のいずれか一項に記載の前記要素と、前記要素からの要素放射を制御する制御システムとを備える、システム。
【請求項１３】
物体であって、前記物体の外面に関連づけられる請求項１乃至１１のいずれか一項に記載の要素を含み、前記電気コンポーネントに電力を供給する電力源をさらに含む、物体。
【請求項１４】
請求項１乃至１１のいずれか一項に記載の要素をもつ物体を用意するための方法であって、（ｉ）前記要素を前記物体の外面に関連づけるステップと、電力源に機能的に結合させるステップとを有する、方法。
【請求項１５】
請求項１乃至１１のいずれか一項に記載の要素を用意するための方法であって、前記方法が、（ｉ）（ａ）電気コンポーネント、（ｂ）電力源に前記電気コンポーネントを機能的に結合させるための電気コネクタ、及び（ｃ）前記電気コネクタの少なくとも一部を密閉する水障壁の機能的な組合せを用意するステップと、（ｉｉ）前記光源、前記電気コネクタの一部、及び前記水障壁の少なくとも一部を、光源放射に対して透過性であるシリコーンを含む媒体材料を用いてカプセル化して、前記要素を用意するステップとを有する、方法。
【発明の詳細な説明】
【技術分野】
【０００１】
本発明は、ＵＶ及び／又は可視、特にＵＶの要素放射を供給するための光源などの電気コンポーネントを含む要素に関する。本発明は、さらに、そのような要素を含む生物付着防止システムなどのシステムに関する。本発明は、さらに、そのような要素を含む物体に関する。その上さらに、本発明は、さらに、そのような要素をそのような物体に適用するための方法、及びそのような要素それ自体を用意するための方法に関する。
【背景技術】
【０００２】
生物付着を防止する方法は当技術分野で知られている。米国特許出願公開第２０１３／００４８８７７号は、例えば、紫外光を発生するように構成された紫外光源と、被保護面に隣接して配設され紫外光を受け取るように結合された光学媒体とを含む、被保護面への生物付着を防止するためのシステムを記載しており、光学媒体は被保護面に対して垂直な厚さ方向を有し、厚さ方向と直交する光学媒体の２つの直交方向が被保護面と平行であり、光学媒体は、紫外光が厚さ方向と直交する２つの直交方向のうちの少なくとも１つの方向に光学媒体内を進むための、及び光学媒体の表面に沿った点において紫外光のそれぞれの一部分が光学媒体から漏れ出るための紫外光の伝搬路を備えるように構成される。
【０００３】
米国特許出願公開第２００９／２７０５２６号は、少なくとも１つの樹脂モノマー、充填剤、及び光開始剤を含む封入剤組成物を記載しており、少なくとも１つの樹脂モノマーは、アクリル樹脂モノマー、エポキシ樹脂モノマー、シリコーン樹脂モノマー、及びそれらの合成物からなる群から選択され、充填剤は、封入剤組成物の約０．１〜１５重量％である。
【０００４】
ＷＯ２０１４／１８８３４７は、表面が液体環境に少なくとも部分的に水没している間表面への付着を防止する方法を記載しており、この方法は、付着防止光を供給するステップと、シリコーン材料及び／又はＵＶグレード溶融石英を含む光学媒体によって光の少なくとも一部を分配するステップと、光学媒体及び表面から付着防止光を放出するステップとを有する。
【０００５】
ＷＯ２０１６／００１２２７は、付着防止光を光学媒体を介して付着面に供給することによって物体の付着面への生物付着を防止又は低減するための付着防止照明システムを記載しており、付着防止照明システムは、（ａ）（ｉ）付着防止光を発生するように構成された光源、及び（ｉｉ）付着防止光の少なくとも一部を受け取るように構成され、付着防止光の少なくとも一部を供給するように構成された放出面を含む光学媒体を含む照明モジュールと、（ｂ）（ｉ）生物付着リスクに関連するフィードバック信号、及び（ｉｉ）付着防止光の強度を時間ベースで変化させるためのタイマのうちの１つ又は複数に応じて付着防止光の強度を制御するように構成された制御システムとを備える。
【０００６】
ＷＯ２０１３／１５７４３６は、水生生物付着を防止するための接着テープを記載しており、この接着テープは、水生生物付着を防止するための接着テープを付着物に接着して、紫外線などへの暴露によって引き起こされる付着物の変色又は劣化を防止することができる。水生生物付着を防止するための接着テープは、付着防止層、基材層、及び接着層をこの順序に含み、前記の付着防止層、基材層、及び接着層から選択された少なくとも１つの層は、耐候剤を含む。
【発明の概要】
【発明が解決しようとする課題】
【０００７】
生物付着又は生物学的付着（本明細書において「付着」としても示す）は、表面への微生物、植物、藻、及び／又は動物の堆積である。生物付着の生物の間の多様性は、極めて多種多様であり、フジツボ及び海草の付着をはるかに越えている。いくつかの推定によれば、４０００を超える生物を含む１７００を超える種が、生物付着の原因である。生物付着は、生物膜形成及び細菌付着を含むミクロ付着と、より大きい生物の付着であるマクロ付着とに分けられる。生物を沈降しないようにするものを決定する明確な化学及び生物学により、これらの生物は、さらに、固い付着物タイプ又は柔らかい付着物タイプとして分類される。石灰質（固い）付着生物は、フジツボ、殻で覆われているコケムシ、軟体動物、多毛類、及び他の棲管虫と、カワホトトギスガイとを含む。非石灰質（柔らかい）付着生物の例は、海草、ヒドロポリプ、藻、及び生物膜「スライム」である。一緒にして、これらの生物は付着物群集を形成する。
【０００８】
いくつかの状況では、生物付着は重要な問題を引き起こす。機械は作業を停止し、吸水口は詰まり、船郭は抗力が増加する。したがって、付着防止のトピック、すなわち、付着物を除去するか又は付着物が形成されないようにするプロセスは、よく知られている。工業プロセスでは、バイオ分散剤が、生物付着を制御するために使用される。あまり制御されていない環境では、生物は、殺生物剤を使用した被覆、熱処理、又はエネルギーのパルスを用いて死滅又は撃退される。生物が付着しないようにする毒性のない機械的な方策には、滑りやすい表面をもつ材料若しくは被覆を選ぶこと、又は不十分なアンカポイントしか与えないサメ及びイルカの皮膚と同様のナノスケール表面トポロジーを作り出すことが含まれる。船郭への生物付着は、抗力の激しい増加を引き起こし、それにより、燃料消費量の増加を引き起こす。燃料消費量の最大４０％の増加が生物付着に起因すると推定される。大きいオイルタンカー又はコンテナ輸送船は、１日当たり最大２０００００ユーロの燃料を消費するので、生物付着防止の効果的な方法によりかなりの節約が可能である。
【０００９】
驚いたことに、湖、川、運河などにおいて海水又は水と接触する表面への生物付着を実質的に防止するためにＵＶ放射を効果的に使用することができるようである。これにより、特に、紫外線光又は放射（ＵＶ）を使用する光学的方法に基づく手法が提示される。ほとんどの微生物は、十分なＵＶ光により、死滅するか、不活性にされるか、又は繁殖できないようである。この効果は、主として、ＵＶ光の総線量によって決定される。特定の微生物の９０％を死滅させるための典型的な線量は、１０ｍＷｈ／ｍ２である。
【００１０】
生物付着を防止するために、（海）水と少なくとも一時的に接触するシステム及び要素が利用される。シリコーンは、液状の又は蒸気としての湿気と接触する用途において、湿気から電子機器を保護するために共形被覆として使用することができるようである。他の保護材料は、エポキシ、アクリレート、ポリウレタン、又はパリレンである。発光ダイオード（ＬＥＤ）を用いた屋外照明のような光電子用途は、湿潤環境から保護される必要がある。これは、照明器具ハウジングの剛性ガラス窓を封止することによって行われる。電力供給ケーブルは、さらに、防水ガスケットで封止される。屋外使用の防水ＬＥＤストリップは、シリコーン、アクリレート、又はポリウレタンとすることができる透明被覆によって保護される。
【００１１】
これらの用途では、湿気が、回路、ＬＥＤ、及び他のコンポーネントのまわりに溜まり、腐食及び最終的に故障を引き起こすのを防止するために、保護が必要である。
【００１２】
本明細書において、とりわけ、シリコーンに完全に埋め込まれた電線にはんだ付けされたＬＥＤのウェブが、薄く可撓性で大面積の光シートを製作するために提案される。ＵＶ  ＬＥＤがこの製品コンセプトで使用される場合、それは、水中で付着防止システムとして使用される。ＬＥＤ及び電子機器がシリコーンに十分に埋め込まれている場合、それらは液体の（海）水から保護される。水蒸気はシリコーン中に移動するが、シリコーンがＬＥＤ及びワイヤを囲む限り、腐食は生じないと考えられる。シリコーンがワイヤ及びコンポーネントから剥離している場合、湿気がインタフェースで凝縮し、腐食を引き起こす。しかしながら、シリコーンシートを離れるにちがいない最も弱いリンクは電力供給ケーブルであるようであった。湿気は、ケーブルとシリコーンとのインタフェースに沿って又はケーブルの内側に沿ってゆっくり進む。これは、驚くほど深刻な問題になる。
【００１３】
付着防止用途では、高度に光学的に（ＵＶ）透明なシリコーンは所望の実施形態である。そのようなシリコーンは、多くの材料にほとんど接着しないようである。
【００１４】
したがって、本発明の一態様は、好ましくはさらに上述の欠点のうちの１つ又は複数を少なくとも部分的に除去する、付着防止放射を供給するための代替の要素又はシステムを提供する。より一般的には、一態様は、水に対して保護された電気コンポーネントを提供する。
【００１５】
１つのオプションは接着促進剤を使用することである。これにより、電気ケーブルへのシリコーンの接着が改善される。しかしながら、接着促進剤の添加は、接着促進剤がＵＶ範囲の光を吸収し、それによって、透過性及び効率を低下させるので好ましくないようである。別のオプションは、シリコーン以外の別の媒体材料に変更することである。しかしながら、シリコーン、特に、ジメチルシリコーンは、現在所望の用途にとって優れている光学的性質及び物理的性質を有しているようである。したがって、本発明は、腐食の影響を受けやすい埋込み型電子機器の方への湿気侵入を防止する、ケーブル及び／又は電子機器へのウォータロックを提案する。ウォータロックは、一方ではケーブル又はコンポーネントに、他方では光学シリコーンに非常によく接着する１つの材料（又は複数の材料）で製作される。
【課題を解決するための手段】
【００１６】
それゆえに、第１の態様において、本発明は、（ｉ）電気コンポーネントと、（ｉｉ）媒体材料、特に、ＵＶ放射（１００〜４００ｎｍ）及び可視放射（４００〜７８０ｎｍ）のうちの１つ又は複数に対して透過性である媒体材料、例えば、シリコーン（すなわち、光透過性シリコーン）などを含む光学媒体であって、電気コンポーネントが（光学）媒体（「媒体」）に埋め込まれている、光学媒体と、（ｉｉｉ）電気コンポーネントを光学媒体の外に機能的に結合させるための電気コネクタ（「コネクタ」）であって、電気コネクタの長さの少なくとも一部にわたって光学媒体に埋め込まれている、電気コネクタと、（ｉｖ）光学媒体に少なくとも部分的に埋め込まれ、電気コネクタの少なくとも一部を密閉するように構成された水障壁とを含む要素を提供する。
【００１７】
可視及び／又はＵＶ放射が適用される用途を参照すると、本発明は、さらに、特に、ＵＶ放射及び可視放射のうちの１つ又は複数を含む要素放射を供給するように構成されたそのような要素を提供し、要素は、（ｉ）ＵＶ波長範囲及び可視波長範囲のうちの１つ又は複数の範囲内の光源放射を供給するように構成された光源を含む電気コンポーネントと、（ｉｉ）光学媒体であって、光源が光学媒体に埋め込まれている、光学媒体と、（ｉｉｉ）光学媒体の外にある電力源に光源を機能的に結合させるための電気コネクタであって、光学媒体に埋め込まれた第１のコネクタ部分（「第１のコネクタ部分」）、及び第１のコネクタ部分が光学媒体の外から物理的に接触可能であるインタフェースコネクタ部分を含む、電気コネクタと、（ｉｖ）水障壁とを含む。それゆえに、なお、さらなる実施形態では、本発明は、さらに、ＵＶ放射及び可視放射のうちの１つ又は複数を含む要素放射（すなわち、要素から漏れ出る放射）を供給するように構成された要素を提供し、要素は、（ｉ）ＵＶ波長範囲及び可視波長領域のうちの１つ又は複数の光源放射（要素放射として使用され、及び／又は要素放射に変換される）を供給するように構成された光源と、（ｉｉ）媒体材料を含む光学媒体であって、実施形態における媒体材料が、特に、光源放射に対して透過性である（（したがって）特に要素放射に対してやはり透過性である）シリコーンを含み、光源が光学媒体に埋め込まれている、光学媒体と、（ｉｉｉ）光学媒体の外にある電力源に光源を機能的に結合させるための電気コネクタであって、光学媒体に埋め込まれた第１のコネクタ部分、及び光学媒体の外から物理的に接触可能なインタフェースコネクタ部分を含む、電気コネクタと、（ｉｖ）光学媒体に少なくとも部分的に埋め込まれ、電気コネクタの第１のコネクタ部分の少なくとも一部を密閉するように構成され、実施形態ではインタフェースコネクタ部分に隣接して配置されている水障壁（「障壁」又は「止水部」）とを含む。
【００１８】
そのような要素により、電気コンポーネントは水との接触から保護される。電気コネクタに沿って電気コンポーネントにゆっくり進む水侵入（媒体の外からの）は、低減されるか又はさらに完全に抑止される。
【００１９】
「電気コンポーネント」という用語は、特に、電子コンポーネントを参照する。電子コンポーネントは、能動電子コンポーネント又は受動電子コンポーネントを含む。能動電子コンポーネントは、電子流を電気的に制御する（電力を電気制御する）能力をもつ任意のタイプの回路コンポーネントである。能動電子コンポーネントの例は、ダイオード、特に発光ダイオード（ＬＥＤ）である。ＬＥＤは、本明細書において、固体照明デバイス又は固体光源という、より一般的な用語でも示される。したがって、実施形態において、電子コンポーネントは能動電子コンポーネントを含む。
【００２０】
特に、電子コンポーネントは固体光源を含む。能動電子コンポーネントの他の例は、バッテリなどの電源、圧電デバイス、集積回路（ＩＣ）、及びトランジスタを含む。さらなる他の実施形態では、電子コンポーネントは受動電子コンポーネントを含む。別の電気信号によって電流を制御することができないコンポーネントは、受動デバイスと呼ばれる。抵抗器、キャパシタ、インダクタ、変圧器などは受動デバイスと考えられる。
【００２１】
一実施形態では、電子コンポーネントは、ＲＦＩＤ（無線周波数識別）チップを含む。ＲＦＩＤチップは、受動又は能動とすることができる。特に、電子コンポーネントは、固体光源（ＬＥＤなど）、ＲＦＩＤチップ、及びＩＣのうちの１つ又は複数を含む。
【００２２】
「電子コンポーネント」という用語は、さらに、複数の同様な電子コンポーネント又は複数の異なる電子コンポーネントを参照する。
【００２３】
特定の実施形態では、電気コンポーネントは、例えば、バッテリ、センサ、光源、プロセッサ等々のうちの１つ又は複数を含む。電気コンポーネントは、特に、機能コンポーネントを含む。（従来の）電気ケーブルなどの電気コネクタは、特に、本明細書では電気コンポーネントと見なされない。「電気コンポーネント」という用語は、さらに、複数の電気コンポーネントを参照する。本発明は、さらに、特に、電気コンポーネントの例として光源を参照して説明される。
【００２４】
そのような要素を用いて、例えば、要素放射は、湿潤条件の下で、又は要素が水中に少なくとも部分的に水没された状態で、特に比較的高い透過性の媒体材料による高い光取り出しで、及び特に水障壁による長寿命で供給される。水障壁は、一方ではケーブル（若しくは他の電気コネクタ）又はコンポーネントへの、及び他方では埋め込みシリコーン又は他の材料への水障壁の良好な接着のために、ワイヤに沿ってゆっくり進む水に対して障壁を形成する中間材料として特に構成される。電気コネクタは、一般に、電気ケーブルの場合などの導電性材料（銅など）を囲む絶縁体を含み、絶縁体は、特に、エポキシドなどのような高分子材料である。そのような絶縁材料及びシリコーンは、一般に、十分には接着しない。好適な弾性耐候性ケーブルマントル材料は、例えばポリウレタンである。電気ケーブルには、並んで延び、単一の組立体を形成するために一緒に接合されるか、ねじられるか、又は編まれる２つ以上のワイヤが特に含まれる。しかしながら、電気ケーブルには、単一の導電性心線をもつ単線も含まれる。そのような場合には、電気コンポーネントは、２つの（又は２つを超える）異なる電気ケーブルに接続されなければならない。
【００２５】
要素は、ＵＶ放射及び可視放射のうちの１つ又は複数を供給するように特に構成される。ＵＶ放射は、特に、付着防止用途にとって適切である。可視放射は、特に、例えば広告用途を含む照明用途にとって適切である。
【００２６】
「可視」、「可視光」、又は「可視放出」という用語は、多くの場合、約３８０〜７８０ｎｍの範囲の波長を有する光を参照する。しかしながら、ここでは、ＵＶ放射は１００〜４００ｎｍの範囲として定義され、可視は、本明細書では４００〜７８０ｎｍの波長範囲に対して使用される。可視光は、可視光を供給する光源、及び／又はルミネセンス材料などの変換器材料によって可視放射に少なくとも部分的に変換されるＵＶ放射を供給する光源によって作り出される。本明細書において、本発明は、さらに、特に、とりわけ海洋用途における付着防止目的などのＵＶ適用に関して説明される。したがって、一実施形態では、要素は、ＵＶ放射を含む要素放射を供給するように構成される。
【００２７】
要素は、生物付着防止システム、又はより一般的には放射を供給する（多湿であるか又は少なくとも一時的に水に沈められている状態の下で）ように構成されたシステムに含まれる。したがって、さらなる態様において、本発明は、さらに、本明細書において定義するような要素と、オプションとして、要素からの要素放射を制御するように構成された制御システムとを含む（生物付着防止）システムを提供する。さらに、生物付着防止システムは、オプションとして、電力源を含む。しかしながら、電力源は、それぞれ要素又は生物付着防止システムに必ずしも含まれない。
【００２８】
要素及び／又は（生物付着防止）システムは、特に、使用中海水などの水に接触するか、又は例えば海岸若しくは他の屋外用途などの湿潤条件で利用される物体上に又は物体内に適用される。したがって、さらに、さらなる態様において、本発明は、さらに、特に使用中水に少なくとも部分的に沈められる物体を提供し、物体は本明細書において定義するような要素、又は、特に、本明細書で定義するような要素を含む（生物付着防止）システムをさらに含む。要素（又はシステム）は物体の外面に関連づけられる。物体は、特に、船舶及びインフラストラクチャ物体からなる群から選択される。物体は、電力を光源に供給するように構成された電力源をさらに含む。しかしながら、他の実施形態（物体の）は、例えば、（水中用の）ランプ、屋外ランプ、例えば、熱帯降雨林、モンスーン地帯などのような比較的湿潤な地帯で使用する（少なくとも一時的に）ものなどを含む。
【００２９】
本明細書において、「使用中水に少なくとも部分的に沈められる物体」という句は、特に、水用途を有する船舶及びインフラストラクチャ物体などの物体を参照する。したがって、使用中、そのような物体は、一般に、海、湖、運河、川、又は別の水路などにおける船舶のように水と接触する。「船舶」という用語は、例えば、例えば帆船、タンカー、巡航船、ヨット、フェリー、潜水艦等々などのボート又は船などを参照する。「インフラストラクチャ物体」という用語は、特に、一般に実質的に静止して配置されている水用途、例えば、ダム、水門、箱船、石油掘削装置等々などを参照する。
【００３０】
「外面」という用語は、特に、水と物理的に接触する表面を参照する。したがって、「外面」という用語の代わりに、「付着面」という用語も利用される。さらに、そのような実施形態では、「水線」という用語は、さらに、例えば充満レベルを参照する。特に、物体は、海洋用途、すなわち、海又は大洋の中の又はその近くの用途のために構成された物体である。そのような物体は、使用中、少なくとも一時的に又は実質的に常時、水と少なくとも部分的に接触する。物体は、使用中水（線）より少なくとも部分的に下にあり、又は潜水艦用途などでは、実質的に、すべての時間、水（線）より下にある。
【００３１】
水とのこの接触に起因して、生物付着が、上述で示した欠点を伴って生じる。生物付着は、そのような物体の外面の表面（「表面」）で生じる。保護すべき物体の（要素の）表面は、鋼鉄を含むが、オプションとして、木材、ポリエステル、複合材、アルミニウム、ゴム、ハイパロン、ＰＶＣ、ガラス繊維などからなる群から選択されたものなどの別の材料をさらに含む。したがって、鋼鉄船郭の代わりに、船郭は、ＰＶＣ船郭又はポリエステル船郭などである場合もある。鋼鉄の代わりに、さらに、（他の）鉄合金などの別の鉄材料が使用される場合がある。
【００３２】
本明細書において、「付着」、「生物付着」、又は「生物学的付着」という用語は、交換可能に使用される。上述には、付着のいくつかの例が記載されている。生物付着は、水中の、又は水の近くの、及び水（又は別の水性液体）に一時的にさらされる表面に生じる。そのような表面において、要素が、水中にある、又は水線の（真）上などの水の近くにある（例えば、例えば船首波によるなどの水はねによるように）場合、生物付着が生じる。熱帯地方間で、生物付着が数時間内に生じる。普通の温度でさえ、第１の（段階の）付着が、第１の（分子）レベルの糖質及び細菌として数時間内に生じる。
【００３３】
生物付着防止システムは少なくともＵＶ放出要素を含む。さらに、生物付着防止システムは、制御システム（以下も参照）と、局所環境発電システム（以下も参照）などのような電気エネルギー源とを含む。
【００３４】
「生物付着防止システム」という用語は、さらに、オプションとして互いに機能的に結合され、例えば、単一の制御システムを介して制御されるような複数のそのようなシステムを参照する。さらに、生物付着防止システムは、複数のそのようなＵＶ放出要素を含む。本明細書において、「ＵＶ放出要素」という用語は、（したがって）、複数のＵＶ放出要素を参照する。例えば、一実施形態では、複数のＵＶ放出要素は、船郭などの物体の外面に関連づけられ、又はそのような表面に含まれ（以下も参照）、一方、例えば、制御システムは、物体内のどこか、例えば、船舶の制御室又は操舵室などに配置される。
【００３５】
付着が発生する表面又は区域は、本明細書において付着面としても示される。それは、例えば、船の船郭及び／又は光学媒体の放出面である（以下も参照）。このために、ＵＶ放出要素は、生物付着の形成を防止する及び／又は生物付着を除去するために利用されるＵＶ放射（付着防止光）を供給する。このＵＶ放射（付着防止光）は、特に、少なくとも、ＵＶ放射（「ＵＶ光」としても示される）を含む。したがって、ＵＶ放出要素は、特に、ＵＶ放射を供給するように構成される。それに加えて、ＵＶ放出要素は光源を含む。「光源」という用語は、２〜２０個の（固体）ＬＥＤ光源などの複数の光源にも関連するが、さらに多くの光源がさらに利用されてもよい。したがって、ＬＥＤという用語は、さらに、複数のＬＥＤを参照する。特に、ＵＶ放出要素は、複数の光源を含む。したがって、上述で示したように、ＵＶ放出要素は、１つ又は複数の（固体）光源を含む。ＬＥＤは、（ＯＬＥＤ又は）固体ＬＥＤ（又はこれらのＬＥＤの組合せ）である。特に、光源は固体ＬＥＤを含む。したがって、特に、光源は、ＵＶ−Ａ光及びＵＶ−Ｃ光のうちの１つ又は複数を供給するように構成されたＵＶ  ＬＥＤを含む（以下も参照）。ＵＶ−Ａは細胞壁を傷つけるために使用され、一方、ＵＶ−ＣはＤＮＡを傷つけるために使用される。したがって、光源は、特に、ＵＶ放射を供給するように構成される。本明細書において、「光源」という用語は、特に、固体光源を参照する。
【００３６】
紫外線（ＵＶ）は、可視スペクトル低波長極限とＸ線放射帯域とによって境界をつけられた電磁光の一部である。ＵＶ光のスペクトル範囲は、定義によって約１００ｎｍと４００ｎｍ（１ｎｍ＝１０−９ｍ）との間であり、人間の目には見えない。ＣＩＥ分類を使用して、ＵＶスペクトルは３つの帯域、すなわち、３１５ｎｍから４００ｎｍまでのＵＶ−Ａ（長波）、２８０ｎｍから３１５ｎｍまでのＵＶ−Ｂ（中波）、及び１００ｎｍから２８０ｎｍまでのＵＶ−Ｃ（短波）に細分される。実際には、多くの光生物学者は、多くの場合、ＵＶ暴露に由来する皮膚効果を３２０ｎｍより上及び下のＵＶ波長の重み付け効果として話題にし、したがって、代替の定義を提示する。文献では、時には、約４００ｎｍの波長は「濃青色」としても示される。ここでは、定義によって、ＵＶ放射は１００〜４００ｎｍの波長範囲の放射である。４００ｎｍを超え７８０ｎｍまでが、本明細書では、可視放射（可視光）として示される。
【００３７】
強い殺菌効果が短波ＵＶ−Ｃ帯域の光によってもたらされる。加えて、紅斑（皮膚の発赤）及び結膜炎（目の粘膜の炎症）がこの形態の光により引き起こされることもある。このために、殺菌ＵＶ光ランプを使用する場合、ＵＶ−Ｃ漏洩を遮断し、それによりこれらの影響を避けるシステムを設計することが重要である。水中光源の場合には、水によるＵＶ光の吸収が十分に強いのでＵＶ−Ｃ漏洩は液体表面の上の人間にとって問題ではない。したがって、一実施形態では、ＵＶ放射（付着防止光）はＵＶ−Ｃ光を含む。さらなる別の実施形態では、ＵＶ放射は、１００〜３００ｎｍ、特に、２００〜３００ｎｍ、例えば、２３０〜３００ｎｍなどの波長範囲から選択された放射を含む。したがって、ＵＶ放射は、特に、約３００ｎｍの波長までのＵＶ−Ｃ及び他のＵＶ放射から選択される。良好な結果は、１００〜３００ｎｍ、例えば、２００〜３００ｎｍなどの範囲内の波長で得られる。
【００３８】
要素は光学媒体を含む。光学媒体は、導波路の機能を有する。特に、光学媒体はフォイル又はプレート（シート）として提供される。特定の実施形態では、光源は光学媒体に埋め込まれる。このようにして、光源から漏れ出る実質的にすべて放射は、光学媒体に導入され、光学媒体の少なくとも一部にわたって分配される。それゆえに、媒体材料は光源放射に対して透過性である。固体光源などの光源は、光学媒体と物理的に接触する。例えば、ＬＥＤダイ、又はＬＥＤダイ上の光学要素は、媒体材料と物理的に接触する。したがって、光源は、特に、媒体材料に埋め込まれる。
【００３９】
しかしながら、さらなる別の実施形態において、１つ又は複数の光源は光学媒体に含まれなくてもよい。そのような実施形態では、１つ又は複数の光源の放射は、光学媒体の透過率のために光学媒体を通り抜ける。そのような実施形態では、１つ又は複数の光源は、光学媒体に放射的に結合される。「放射的に結合される」という用語は、特に、光源によって放出された放射の少なくとも一部が光学媒体によって受け取られそれによって透過されるように光源と光学媒体とが互いに関連づけられることを意味する。
【００４０】
上述で示したように、好適な媒体材料はシリコーンを含む。一層さらに特に、媒体材料はポリジメチルシリコーンを含む。特に、シリコーンは、１０ｐｐｍ未満のような、例えば５ｐｐｍ未満などの、一層さらに特に１ｐｐｍ未満の少量の白金触媒などの金属触媒を含む。しかしながら、本発明は、ＵＶ透過性材料（媒体材料）としてシリコーン材料に限定されない。さらに、シリカ、フルオロポリマー（テフロン（登録商標）など）、及びオプションとして（石英）ガラスなどのＵＶ放射に対して透過性の他の（ポリマー）材料が適用される。そのような材料は、本明細書において、「透過性媒体材料」としても示される。
【００４１】
光学媒体は、さらに、被保護面に適用するための（シリコーン）フォイル又はプレートとして用意され、フォイル又はプレートは、付着防止光を発生するための少なくとも１つの光源と、ＵＶ放射をフォイル又はプレートにわたって分配するためのシート様光学媒体とを含む。
【００４２】
実施形態において、フォイル又はプレートは、２、３ミリメートルから数センチメートルの程度の、例えば、０．１〜１０ｃｍなどの、特に０．１〜５ｃｍの、０．２〜２ｃｍのような厚さを有する。実施形態において、フォイル又はプレートは、実質的に、厚さ方向に対して垂直な方向では制限されず、数十又は数百平方メートルの大きさの程度のサイズを有する実質的に大きいフォイル又はプレートが用意される。フォイル又はプレートは、付着防止タイルを用意するために、フォイル又はプレートの厚さ方向に対して垂直な２つの直交方向において実質的にサイズ制限され、別の実施形態では、フォイル又はプレートは、付着防止フォイル又はプレートの細長いストリップを用意するために、フォイル又はプレートの厚さ方向に対して垂直な一方向にのみ実質的にサイズ制限される。したがって、光学媒体は、さらには照明モジュールも、タイル又はストリップとして用意される。タイル又はストリップは（シリコーン）フォイル又はプレートを含む。タイルは、例えば、０．０１〜１０ｍ２のような、例えば０．１〜４ｍ２などの、例えば０．１〜１ｍ２などの寸法を有する。
【００４３】
一実施形態では、照明モジュールは、ＵＶ放射を発生するための２次元グリッドの光源を含む。光学媒体は、光モジュールの光放出面を出ていくＵＶ放射の２次元分布を形成するために２次元グリッドの光源からのＵＶ放射の少なくとも一部を光学媒体にわたって分配するように配置される。２次元グリッドの光源は、金網構造、最密構造、行／列構造、又は任意の他の好適な規則的若しくは不規則的構造で配置される。グリッドにおける隣接する光源の間の物理的距離は、グリッドにわたって固定されてもよいし、又は、例えば、付着防止効果を与えるのに必要な光出力に応じて、若しくは被保護面上の照明モジュールの場所（例えば、船の船郭上の場所）に応じて変化してもよい。２次元グリッドの光源を設ける利点は、ＵＶ放射照明により保護されるべき区域の近くでＵＶ放射が発生されること、２次元グリッドの光源が光学媒体又は光ガイドにおける損失を低減させること、２次元グリッドの光源が光分配の均一性を向上させていることを含む。好ましくは、ＵＶ放射は、放出面にわたって全体的に均一に分配される。これにより、普通なら付着が起こる照明の不十分な領域が減少されるか又はさらに防止され、一方、同時に、付着防止のために必要とされるよりも多くの光を有する他の区域の過剰照明によるエネルギー浪費が低減されるか又は防止される。一実施形態では、グリッドは光学媒体中に含まれる。さらなる別の実施形態では、グリッドは（シリコーン）フォイル又はプレートに含まれる。
【００４４】
そのようなグリッドは、大面積ＬＥＤアレイ、すなわち、好適な駆動回路にＬＥＤを接続する構造によるＬＥＤの配列としても定義される。そのような構造は、一般に、行電極と列電極とを含むグリッドの形態を有し、グリッドの形態において、ＬＥＤはこれらの電極の間の交点に装着される。
【００４５】
上述で定義されるようなグリッドは、とりわけ、ＷＯ２００７１２２５３４に記載されており、それは参照により本明細書に組み込まれる。したがって、一実施形態では、２次元グリッドの光源には、電極の２つのスタックと、異なるスタックに属する電極の交点に配置されたＬＥＤとを含む大面積ＬＥＤアレイが含まれる。各電極は、電極セクションによって分離された複数のＬＥＤ装着面を含み、各電極セクションは、接続部分によって一緒に連結された２つのストリップ部分を有し、ストリップ部分は、ＬＥＤアレイの平面の延在に対して非平行な表面の延在を有する。
【００４６】
さらに、一実施形態では、光学媒体は、被保護面に隣接して配設され（オプションとして、取り付けられることを含む）、紫外光を受け取るように結合される。光学媒体は被保護面に対して垂直な厚さ方向を有する。厚さ方向と直交する光学媒体の２つの直交方向は被保護面と平行である。光学媒体は、紫外光が厚さ方向と直交する２つの直交方向のうちの少なくとも１つの方向に光学媒体内を進むための、及び光学媒体の表面に沿った点において紫外光のそれぞれの一部分が光学媒体から漏れ出るための紫外光の伝搬路を備えるように構成される。
【００４７】
したがって、一実施形態では、（付着防止照明）システムは光学媒体を含み、光学媒体は、付着面にＵＶ放射（付着防止光）を供給するように構成された光ファイバなどの導波路を含む。例えばＵＶ放射（付着防止光）が漏れ出る導波路の表面は、本明細書において、放出面としても示される。一般に、導波路のこの部分は、少なくとも一時的に水没される。放出面から漏れ出るＵＶ放射（付着防止光）により、使用中に、液体（海水など）に少なくとも一時的にさらされる物体の要素は、照射され、それによって付着防止される。しかしながら、放出面それ自体も付着防止される。この効果は、以下で説明する光学媒体を含むＵＶ放出要素の実施形態のうちのいくつかで使用される。
【００４８】
光学媒体を用いた実施形態はＷＯ２０１４１８８３４７にも記載されている。ＷＯ２０１４１８８３４７の実施形態は、本明細書で説明する制御ユニット及び／又は水スイッチ、及び他の実施形態と組合せ可能であるので、やはり参照により本明細書に組み込まれる。
【００４９】
上述で示したように、ＵＶ放出要素は、特に、ＵＶ放射漏出し表面を含む。したがって、特定の実施形態では、ＵＶ放出要素はＵＶ放射漏出し表面を含み、ＵＶ放出要素は、特に、ＵＶ放出要素のＵＶ放射漏出し表面から下流にＵＶ放射を供給するように構成される。そのようなＵＶ放射漏出し表面は、放射がＵＶ放出要素から漏れ出る光学窓である。代替として又は追加として、ＵＶ放射漏出し表面は、導波路の表面である。したがって、ＵＶ放射は、ＵＶ放出要素において導波路に結合され、導波路の面（の一部）を介して要素から漏れ出る。やはり上述で示したように、実施形態において、放射漏出し表面は、オプションとして、物体の外面の一部として構成される。
【００５０】
「上流」及び「下流」という用語は、光発生手段（ここでは、特に第１の光源）からの光の伝搬に対するアイテム又はフィーチャの配置に関連し、光発生手段からの光のビーム内の第１の位置を基準にして、光発生手段に近い光のビームの第２の位置は「上流」であり、光発生手段から遠い光のビーム内の第３の位置は「下流」である。
【００５１】
しかしながら、上述で示したように、いくつかの実施形態では、要素は、さらに、ＵＶ放射の代わりに又はＵＶ放射に加えて可視光を供給するように構成される。そのような実施形態では、「ＵＶ放出要素」という用語及び類似の用語は、「要素」又は「可視及び／又はＵＶ放出要素」などと取り替えられる。
【００５２】
要素は、例えば光学媒体の外にある電力源に光源を機能的に結合させるための電気コネクタをさらに含む。電気コネクタは、光学媒体に埋め込まれた第１のコネクタ部分と、光学媒体の外から物理的に接触可能なインタフェースコネクタ部分とを含む。電気コネクタは、一般に、絶縁部が導電性部分を囲んでいる電線である。電気コネクタは、（電力源に機能的に接続されると）光源に電力を供給する。したがって、電気コネクタは、１つの電気コネクタ（単一心線）又はより多くの電気コネクタ（二重心線、又は２つを超える心線）とともに電力ケーブルを含む。したがって、「電気コネクタ」という用語は、さらに、複数の電気コネクタを参照する。他の実施形態では、電気コネクタは導電性トラックを含む。なお、さらなる実施形態では、電気コネクタは、上述で定義したような電力グリッド（複数の関連する光源に電力を供給するための）を含む。インタフェースコネクタ部分は、特に、局所的に光学媒体が外部とのインタフェースを有し、電気コネクタが外部から接近され得る部分である。例えば、電気コネクタがプレートを貫通し、プレート内の部分及びプレート外の部分を有する面をもつ閉止プレートを仮定すると、それは、正確に、電気コネクタがプレートを貫通する位置である。さらに、水がプレートに移動するのはこの位置である。
【００５３】
外部から、すなわち、光学媒体の外から、光学媒体に含まれる光源（及び／）又は他の電気コンポーネントに電力を供給するために、光学媒体の外から接触可能な電気コネクタの部分がある。これは、例えば、ケーブルのフィードスルー、又はソケットなどを含む。特に、このインタフェースにおいて、水の侵入が起こる。特に外部電源を機能的に結合させるために外部から接触可能な部分は、インタフェースコネクタ部分として示される。光学媒体に含まれるワイヤ、ケーブル、導電性トラックは、特に、第１のコネクタ部分として示される。したがって、「第１のコネクタ部分」という用語は、さらに、複数の第１のコネクタ部分を参照する。したがって、インタフェースコネクタ部分を出発点として外側から見ると、電気コネクタは光学媒体に埋め込まれている。光学媒体の外に長さの一部を含み、長さの一部にわたって光学媒体に埋め込まれたケーブルが使用される場合、ケーブルが光学媒体に入る（又は光学媒体から出る）光学媒体のインタフェースの断面は、インタフェースコネクタ部分と考えられることに留意されたい。したがって、「インタフェースコネクタ部分」という用語は、必ずしも別個のデバイスを示すのではなく、特に位置を示すことがある。
【００５４】
したがって、「電気コンポーネントを光学媒体の外に機能的に結合させるための」という句は、特に、電気コネクタが、電気コンポーネントと、別のコンポーネント、特に電気コンポーネント、一層さらに特に光学媒体の外にある電力源及び／又は制御システムとの間で機能的結合を行うように構成されることを示している。
【００５５】
水のそのような侵入（の影響）を防止又は低減するために、要素は水障壁をさらに含む。水障壁（「障壁」又は「止水部」）は、光学媒体に少なくとも部分的に埋め込まれ、電気コネクタの第１のコネクタ部分の少なくとも一部を密閉するように構成され、特に、インタフェースコネクタ部分に隣接して配置される。特に、水障壁は、（さらに）、完全に媒体材料に埋め込まれる。
【００５６】
特に、水障壁は、媒体材料と電気コネクタとに接着するように構成される。媒体材料は第１のコネクタ部分にあまりよく接着しないようである。これは、良好な透過率を求めて、媒体材料、特にシロキサンが、接着剤若しくは接着促進剤を全く含まないか、又は接着剤若しくは接着促進剤を含む量が少ないことに起因する。この比較的悪い接着が水侵入をしやすくする。したがって、第１の電気接続部分及び光学材料の両方への良好な接着性を有するそのような水障壁を用いて、障壁機能が設けられる。そのような水障壁は、必要に応じて、多量の接着剤又は接着促進剤を含むことができる。この水障壁は局所的にのみ適用されるので、光学媒体の光学的性質への影響は比較的低い。特定の実施形態では、水障壁は、シリコーンシーラントとしても知られているシリコーン接着剤を含む。好適なシリコーン接着剤の例は、例えば、Ｄｏｗ  Ｃｏｒｎｉｎｇ  ７４８、Ｍｏｍｅｎｔｉｖｅ  ５２４０、Ｌｏｃｔｉｔｅ  ｃｌｅａｒ  ｓｉｌｉｃｏｎｅである。接着促進剤の例は、例えば、Ｄｏｗ  Ｃｏｒｎｉｎｇ  １２００  ＯＳ、ＡＣＣ  ｐｒｉｍｅｒ  ｎｏ．３などである。
【００５７】
特定の実施形態では、水障壁は、第１のコネクタ部分の少なくとも一部を密閉するように構成され、例えば０．１〜５０ｍｍなどの、０．２〜５０の範囲のような、例えば１〜３０ｍｍなどの、５〜２５ｍｍのような少なくとも０．１ｍｍの範囲から選択された長さ（ｌ）を有する外囲器、特にガラス外囲器、特に管状（ガラス）外囲器を含む。（ガラス）外囲器は、第１の電気コネクタの一部を、指示された長さなどにわたって、円周方向に密閉するように構成される。しかしながら、他の外囲器を同様に使用することができ、管状以外の形状もやはり使用することができる。例えば、さらに、例えば、球形の外囲器、又はオプションとして立方体若しくは長方形の外囲器を利用することができる。
【００５８】
外囲器は、断面積がわずかに大きい、例えば、５〜２０％大きいという意味で、断面積に小さい不一致がある。これにより、第１のコネクタ部分と外囲器との間に間隙が設けられる。この間隙は、良好な密閉及び接着のためにシリコーン接着剤で充填するのに使用される。したがって、特定の実施形態では、シリコーン接着剤の少なくとも一部は、電気コネクタと管状ガラス外囲器との間に配置される。
【００５９】
代替として、断面積は実質的に同一である。さらなる実施形態では、外囲器は、第１のコネクタ部分と物理的に接触する長さの実質的に全体にわたる。例えば、外囲器を形成する高分子材料は、加熱により硬化され及び／又は第１のコネクタ部分に付けられる。これにより、気密密閉が行われる。
【００６０】
特に、外囲器は、光透過性の外囲器材料を含む。材料は、一実施形態では（ＰＥＴＧ）（グリコール変性ポリエチレンテレフタレート）、ＰＤＭＳ（ポリジメチルシロキサン）、及びＣＯＣ（シクロオレフィンコポリマー）を含んで、ＰＥ（ポリエチレン）、ＰＰ（ポリプロピレン）、ＰＥＮ（ポリエチレンナフタレート）、ＰＣ（ポリカーボネート）、ポリメチルアクリレート（ＰＭＡ）、ポリメチルメタクリレート（ＰＭＭＡ）（プレキシグラス又はパースペックス）、セルロースアセテートブチラート（ＣＡＢ）、シリコーン、ポリ塩化ビニル（ＰＶＣ）、ポリエチレンテレフタレート（ＰＥＴ）からなる群から選択されたものなどの透過性有機材料からなる群から選択された１つ又は複数の材料を含む。特に、材料は、芳香族ポリエステル又はそのコポリマー、例えばポリカーボネート（ＰＣ）、ポリ（メチル）メタクリレート（Ｐ（Ｍ）ＭＡ）、ポリグリコライド又はポリグリコール酸（ＰＧＡ）、ポリ乳酸（ＰＬＡ）、ポリカプロラクトン（ＰＣＬ）、ポリエチレンアジペート（ＰＥＡ）、ポリヒドロキシアルカノエート（ＰＨＡ）、ポリヒドロキシブチラート（ＰＨＢ）、ポリ（３−ヒドロキシブチラート−ｃｏ−３−ヒドロキシバレラート）（ＰＨＢＶ）、ポリエチレンテレフタレート（ＰＥＴ）、ポリブチレンテレフタレート（ＰＢＴ）、ポリトリメチレンテレフタレート（ＰＴＴ）、ポリエチレンナフタレート（ＰＥＮ）などを含み、特に、材料はポリエチレンテレフタレート（ＰＥＴ）を含む。したがって、材料は、特に、高分子材料である。しかしながら、別の実施形態では、材料は無機材料を含む。好ましい無機材料は、ガラス、（溶融）石英、透過性セラミック材料などからなる群から選択される。さらに、無機部分及び有機部分の両方を含むハイブリッド材料、例えば、シリコーンなどが適用される。ＰＭＭＡ又はガラスは外囲器の材料として特に好ましい。
【００６１】
一般に、電気コネクタは１つ又は複数の導電性トラックを含み、絶縁体が１つ又は複数の導電性トラックを囲んでいる。しかしながら、他のオプションも可能である。
【００６２】
特定の実施形態では、水障壁は、導電性トラックと物理的に接触するガラス障壁を含む。したがって、そのような実施形態では、ガラス−金属接続が、水障壁−導電性トラックとして使用される。例えば、絶縁体のない電気導体を用意するか、又は絶縁体をもつ電気導体を用意し、例えば０．１〜５０ｍｍなどの、例えば１〜３０ｍｍなどの、５〜２５ｍｍのような絶縁体の一部を除去する。絶縁体が除去された位置において、ガラスが電気導体を囲んで溶融される。したがって、特定の実施形態では、水障壁の位置において、電気コネクタは金属で構成され、水障壁は、金属ガラス接続部を形成するガラスを含む。金属ガラス接続部は、特に、水密接続を行うように構成される。したがって、そのような金属ガラス接続部は、さらに、水の（さらなる）侵入を防止するために使用される。
【００６３】
それゆえに、水障壁の材料は、電気コネクタ、特に、第１のコネクタ部分と媒体材料とを組み合わせて、水密障壁が作り出されるように特に選択される。水障壁は、媒体材料とのインタフェースと、電気コネクタ、特に、実施形態ではその絶縁体とのインタフェースとを形成し、それにより、電気コネクタに沿った水の移送が実質的に阻止される
【００６４】
一般に、水障壁は、インタフェースコネクタ部分の比較的近くに配置される。一実施形態では、水障壁は、さらに、媒体材料を通って外部に突き抜ける。しかしながら、他の実施形態では、水障壁は、光学媒体（材料）に完全に含まれる。特定の実施形態では、水障壁は、インタフェースコネクタ部分から１〜４００ｍｍの範囲から選択された第１の距離（ｄ１）に配置される。
【００６５】
したがって、水障壁は、特に、光学媒体と異なる原料組成を含む。例えば、光学媒体はシリコーンを含み、一方、水障壁はシリコーン接着剤を含む。さらなる別の例では、光学媒体はシリコーンを含み、一方、水障壁はガラスを含む。なお、さらなる例では、光学媒体はシリコーンを含み、一方、水障壁は、ガラスと、ガラスと電気コネクタとの間に配置される接着剤とを含む。
【００６６】
特に、複数の光源の場合には、単一の接続が破壊された場合でさえ、依然として実質的に、すべての光源が今までどおり電力を供給されるグリッドが設けられる。それゆえに、光学媒体の損傷又はさらに破壊は照明態様の観点からは問題ではない。しかしながら、水侵入の観点から、これはかなり問題である。したがって、本発明は、さらに、複数の第２の水障壁（インタフェースコネクタ部分に近い水障壁に加えて）をもつ光学媒体を提供する。それゆえに、なお、さらなる実施形態では、要素は、（ｉ）複数の光源と、（ｉｉ）光学媒体であって、複数の光源が光学媒体に埋め込まれている、光学媒体と、光学媒体の外にある電力源に複数の光源を機能的に結合させるための電気コネクタインフラストラクチャであって、１つ又は複数のインタフェースコネクタ部分、及び複数の光源に機能的に結合された複数の第１のコネクタ部分とを含む、電気コネクタインフラストラクチャと、（ｉｖ）要素にわたって分布した複数の水障壁であって、特に、少なくとも１つの水障壁が、１つ又は複数のインタフェースコネクタ部分のうちの１つのインタフェースコネクタ部分に隣接して配置される、水障壁とを含む。例えば、要素は、１ｍ２の光学媒体当たり１〜２０００個の水障壁、例えば、１ｍ２の光学媒体当たり１０〜１６００個の水障壁などを含む。
【００６７】
複数の光源が適用され、複数の光源が電気コネクタ部分を介して電気的に接続され、それによって、複数の相互接続電気コネクタ部分が用意される一実施形態では、少なくとも２０％の、例えば少なくとも４０％などの、さらに少なくとも６０％のような、又はさらに８０％以上の、例えば最大１００％などの相互接続電気コネクタ部分が、１つ又は複数の水障壁を含む。したがって、特定の実施形態では、本発明は、さらに、１つ又は複数の光源のサブセットが、１つ又は複数の第１のコネクタ部分に機能的に結合され、すべての第１のコネクタ部分が１つ又は複数の水障壁を含む要素を提供する。サブセットは、光源などの１つ又は複数の電気コンポーネントを含む。オプションとして、すべての電気コンポーネントは、電気コンポーネントと機能的に接触する各電気コネクタが水障壁を含むという意味で、水障壁によって囲まれている。したがって、電気コンポーネントから見ると、各電気コネクタは、別の電気コンポーネント（光学媒体の内部又は外部の）の前に水障壁で囲まれている。
【００６８】
さらに、さらなる態様において、本発明は、さらに、本明細書において定義するような要素をもつ物体を用意する方法を提供し、この方法は、（ｉ）要素を物体の外面に関連づけ、電力源に機能的に結合させるステップを有する。実施形態において、これは、要素、さらに特に光学媒体が、外面に対して一種の第２の外皮として構成されることを意味する。したがって、要素は、外面から離れる方向に漏れ出る、光学媒体表面から下流への放射を供給する。
【００６９】
なお、さらなる態様では、本発明は、本明細書において定義するような要素を用意するための方法を提供し、この方法は、（ｉ）（ａ）電気コンポーネント、（ｂ）電気コンポーネントを電力源に機能的に結合させるための電気コネクタ、及び（ｃ）電気コネクタの少なくとも一部を密閉するように構成された水障壁の機能的な組合せを行うステップと、（ｉｉ）光源、電気コネクタの一部、及び水障壁の少なくとも一部を、光源放射に対して透過性であるシリコーンを含む媒体材料を用いてカプセル化して、要素を用意するステップとを有する。特に、電気コンポーネントは光源である。その上さらに特に、電気コンポーネントは、複数の光源、例えば、上述で定義したようなグリッドなどを参照する。一層さらに特に、本発明は、本明細書において定義するような要素を用意するための方法を提供し、この方法は、（ｉ）（ａ）ＵＶ及び可視のうちの１つ又は複数の光源放射を供給するように構成された光源、（ｂ）外部の電力源に光源を機能的に結合させるための電気コネクタであって、第１のコネクタ部分（及びインタフェースコネクタ部分）を含む、電気コネクタ、及び（ｃ）電気コネクタの第１のコネクタ部分の少なくとも一部を密閉するように構成された（及びインタフェースコネクタ部分に隣接して配置された）水障壁の機能的な組合せを用意するステップと、（ｉｉ）光源、第１のコネクタ部分、及び水障壁を、光源放射に対して透過性であるシリコーンを含む媒体材料を用いてカプセル化して、要素を用意するステップとを有する。
【００７０】
本明細書に示すように、要素は、水と接触する表面への生物付着を防止するように構成される。したがって、要素は、水と接触する表面への生物付着を防止するための要素として示される。要素という用語の代わりに、（実施形態において）、さらに、「デバイス」又は「装置」という用語が適用される。
【００７１】
本明細書に示すように、水障壁は、特に、電気コネクタの少なくとも一部を密閉するように構成される。したがって、水障壁は、電気コネクタの少なくとも一部を密閉する。特に、水障壁は、電気コネクタの長さの一部にわたって電気コネクタを密閉する。水障壁は、例えば、（一種の）スリーブとして構成される。
【００７２】
次に、本発明の実施形態が、単なる例として、対応する参照記号が対応する部分を示す添付の概略図を参照して説明される。
【図面の簡単な説明】
【００７３】
【図１ａ−１ｇ】そのような要素を含む物体の要素の一態様を概略的に示す図である。
【図２ａ−２ｇ】要素のさらなる態様及び変形を概略的に示す図である。
【発明を実施するための形態】
【００７４】
概略図は、必ずしも原寸に比例していない。
【００７５】
図１ａは、船郭２１を含む船舶１を概略的に示す。参照番号１３は、水２の水線を示す。参照番号３００は、生物付着防止システムを制御するように特に構成されたオプションの制御システムを示し、オプションの制御システムは以下でさらに説明される。図１ａは、物体１０の実施形態としての船舶１が、ＵＶ放出要素としてさらに説明する複数の放射放出要素２１０を含む複数の生物付着防止システム２００及び／又はそのような生物付着防止システム２００のうちの１つ又は複数を含む、一実施形態を概略的に示す。例えば、水（線）などを基準にした特定のそのような生物付着防止システム２００の高さ及び／又はＵＶ放出要素２１０の高さに依存して、それぞれのＵＶ放出要素２１０がスイッチオンされる。図１ａは、さらに、満載喫水線ＬＬを示す。例えば、ｈ２で示されている、満載喫水線ＬＬより約０．５〜２ｍ上に、ｈ１で示されている、満載喫水線ＬＬより約０．５〜２ｍ下に、ＵＶ放出要素２１０を適用する。さらに、制御システム３００は、生物付着防止システム２００を制御するように構成される。参照番号５５０は、システム２００又は要素２１０の光源（さらに以下も参照）に電力を供給するための電力源を示す。要素２１０は、例えば、０．０１〜１０ｍ２の範囲の面積を有する。
【００７６】
図１ｂ〜図１ｃは、使用中水２に少なくとも部分的に沈められている物体１０の実施形態を概略的に示す（水線１３を参照）。船舶又は水門（以下も参照）などの物体１０は、特に、船郭又は船郭の一部分などの物体１０の外面１１の一部分１１１にＵＶ放射２２１を適用するための、ＵＶ放出要素２１０を含む生物付着防止システム２００をさらに含む。ここで、２つの実施形態が示され、生物付着防止システム２００、又はさらに特にＵＶ放出要素２１０が、外面の一部分であり、それによって、外面の一部分を実際に形成する（図１ｂ）か、又はＵＶ放出要素２１０が、外面を照射するように構成され、船の船郭などの外面の一部分を必ずしも形成しない（図１ｃ）。例えば、物体１０は、船舶１及びインフラストラクチャ物体１５からなる群から選択される（以下も参照）。特に、要素２１０は、外面１１と接して配置され、それによって、新しい外面を形成する。この外面は参照番号１２３０で示されている。参照番号２３０は放射漏出し表面を示す。光源放射２２１はこの表面から外部に漏れ出る。本明細書において、本発明は、特に、ＵＶ放射を参照して説明されるが、追加として又は代替として、放射２２１は、可視光、又は可視放射とＵＶ放射との組合せをさらに含む。付着防止のために、放射２２１は特に少なくともＵＶ放射を含む。図１ｂにおいて、要素２１０、特に光学媒体２７０は、外面１１に対する共形被覆として設けられる。光源２２０は、光源放射２２１を供給するように構成される。これは、光学媒体２７０から要素放射２１１として漏れ出る。要素放射２１１は、オプションとして、変換光源放射２２１を含み、又はＵＶ放射などの光源放射２２１で実質的に構成される。参照番号１２２０は電気コンポーネントを示す。ここで、光源２２０は、電気コンポーネント１２２０として使用されるか、又は電気コンポーネント１２２０に含まれる。さらに、他のタイプの電気コンポーネントを、代替として又は加えて使用できることに留意されたい（上述も参照）。
【００７７】
ＵＶ放出要素２１０は、１つ又は複数の光源２２０を含み、それにより、特に、（ｉ）外面１１の一部分１１１及び（ｉｉ）外面１１の一部分１１１に隣接する水のうちの１つ又は複数をＵＶ放射２２１で照射する（照射段階の間）ように構成される。前者の変形は、特に、図１ｃの実施形態を適用し、後者の実施形態は、特に、図１ｂ〜図１ｃの両方の実施形態に当てはまる。しかしながら、ＵＶ放出要素２１０の外面が物体１０の外面として構成される場合、当然、一部分１１１は、ＵＶ放射２１でそれ自体照射されることに留意されたい。
【００７８】
したがって、ＵＶ放出要素２１０はＵＶ放射漏出し表面２３０を含み、ＵＶ放出要素２１０は、ＵＶ放出要素２１０のＵＶ放射漏出し表面２３０から下流にＵＶ放射２２１を供給するように構成される。
【００７９】
特に、光源２２０は、第１のＵＶ放射レベルと第２のＵＶ放射レベルとの間で少なくとも制御可能であり、第１のＵＶ放射レベルは第２のＵＶ放射レベルよりも大きい（第２のＵＶ放射レベルは第１の放射レベルよりも小さい（例えばゼロを含む））。
【００８０】
特定の実施形態では、物体１０は、ＵＶ放射２２１を制御するように構成された制御システム３００をさらに含む。
【００８１】
上述で示したように、参照番号１で示す「船舶」という用語は、例えば、例えばボート又は船（図１ｄの参照番号１０ａ）など、例えば、図１ｄに概略的に示したもののような帆船、タンカー、巡航船、ヨット、フェリー、潜水艦など（図１ｄの参照番号１０ｄ）等々などを参照する。参照番号１５で示す「インフラストラクチャ物体」という用語は、特に、一般に実質的に静止して配置されている水用途、例えば、ダム／水門（図１ｄの参照番号１０ｅ／１０ｆ）、箱舟（図１ｄの参照番号１０ｃ）、石油掘削装置（図１ｄの参照番号１０ｂ）等々などを参照する。本発明は、他のデバイス又は装置にも適用される（上述も参照）ことに留意されたい。
【００８２】
図１ｅは、ＵＶ放出要素２１０又は光学媒体２７０／光学媒体ユニット１２７０を概略的に示す。光源２２０は、光学媒体２７０に少なくとも部分的に統合される。このようにして、ＵＶ放射（及び／又は可視の他の放射）は、導波路又は光学媒体２７０を介して容易に分配される。参照番号２７２は、放射漏出し表面２３０の反対側の第２の光学媒体表面を示す。第２の光学媒体表面２７２は、オプションとして、反射器を含む。しかしながら、他のオプションも可能である（図１ｇを参照）。
【００８３】
図１ｆは、ＵＶ  ＬＥＤなどの光源２２０が、グリッドに配置され、一連の並列接続で接続される金網の実施形態を示す。ＬＥＤは、はんだ付け、接着、又は金網にＬＥＤを接続するための他の既知の電気接続技法のいずれかによりノードに装着される。１つ又は複数のＬＥＤが各ノードに置かれる。ＤＣ又はＡＣ駆動が実施される。ＡＣが使用される場合、逆並列構成の一対のＬＥＤが使用される。ノードごとに逆並列構成の２つ以上の対のＬＥＤを使用できることを当業者は知っている。金網グリッドの実際のサイズと、グリッドにおけるＵＶ  ＬＥＤ間の距離とは、ハーモニカ構造を引き伸ばすことによって調節される。金網グリッドは光学媒体に埋め込まれる。ワイヤの損傷がデッドＬＥＤスポットを必ずしも引き起こさないことに留意されたい。グリッド又は電気インフラストラクチャが参照番号１５１０で示されている。
【００８４】
図１ｇは、図１ｅに基づく変形を概略的に示す。この変形では、光源２２０は、光学媒体２７０の外に配置される。特に、そのような事例では（前の変形はオプションとして外部結合構造をさらに含むが）、光学媒体２７０は、ＵＶ放射２２１を放射漏出し表面２３０を介して外に結合させるように構成された外部結合構造２７６を含む。したがって、外部結合構造は、特に、第２の光学媒体表面２７２に及び／又はその近くに配置される。
【００８５】
とりわけ、本発明は、ケーブルがシリコーンを出る直前に、シリコーンシートの縁部に近い位置でケーブルに付け加えられるウォータロック（水障壁）を提供する。このウォータロックは、ケーブルのまわりにガラスリングで製作される。一般に、シリコーンは、ガラスに非常によく接着し、しかも接着促進剤なしで接着する。ガラスリングは、ケーブルのプラスチックマントルに融合されるか、又は接着性の高いグルーで貼り付けられる。したがって、水障壁は、電気コネクタの長さの一部にわたって電気コネクタを円周方向に密閉する。
【００８６】
一実施形態では、ウォータロックは、シリコーンシート内のワイヤグリッドにわたって分けられているいくつかの場所に適用され、それによって、セルが作り出される。大きいシートの一部が損傷されたとき、そのセルのみが失われる。水は隣のセルの止水部に出会うので、水は、ワイヤに沿ってゆっくり進むことにより周囲のセルに入ることはできない。
【００８７】
ウォータロックは、ＬＥＤ、ワイヤ、及びケーブルを十分な接着性のシリコーンに事前浸漬し、それにより、薄い被覆層を作り出すことによって付け加えられる。それゆえ、この薄い層は、埋め込み光学グレードシリコーンへの良好な接着性を有する。十分な接着性の薄いシリコーン層は、光透過率が小さく、システム全体の効率を低下させるが、これは、厚さが薄いため非常に低い。
【００８８】
一実施形態では、同時にコネクタとして機能するウォータロックが付け加えられる。コネクタは、シリコーンの縁部に置かれ、埋込み電線への非常に良好な接着性をもつ高防湿障壁材料で製作される。外部ケーブルが、このコネクタにプラグ接続され、非光学的で十分な接着性の（シリコーン）シーラントで封止される。コネクタは、さらに、導電性材料で製作され、そのため、ワイヤは送出ケーブルに直接接続されない。
【００８９】
今から、図２ａは、ＵＶ放射及び可視放射のうちの１つ又は複数を含む要素放射２１１を供給するように構成された要素２１０の一実施形態を概略的に示す。要素２１０は、ＵＶ及び可視のうちの１つ又は複数で光源放射２２１を供給するように構成された光源２２０を含む。要素２１０は、光源放射２２１に対して透過性であるシリコーンなどの媒体材料２７５を含む光学媒体２７０をさらに含む。光源２２０は光学媒体２７０に埋め込まれる。光学媒体は、光学媒体２７０の外にある電力源に光源２２０を機能的に結合させるための電気コネクタ５１０をさら含む。図示のように、電気コネクタ５１０は、光学媒体２７０に埋め込まれた第１のコネクタ部分５１１と、光学媒体２７０の外から物理的に接触可能なインタフェースコネクタ部分５１２とを含む。基本的には、インタフェースコネクタ部分は、外部のインタフェースと光学媒体材料２７５との間に配置された電気コネクタの一部と見なされる。この実施形態では、これは、外部Ｅに延びる部分である。光学媒体２７０に少なくとも部分的に埋め込まれた水障壁５３０が設けられる。水障壁は、電気コネクタ５１０の第１のコネクタ部分５１１の少なくとも一部を密閉するように構成され、インタフェースコネクタ部分５１２に隣接して配置される。水障壁５３０は、電気コネクタ５１０に沿った水侵入又は水の少なくともさらなる移送を防止する。水障壁５３０は、長さ又は幅ｌ、すなわち、電気コネクタ５１０と平行な長さを有する。高さは、参照番号ｈで示されており、例えば、（さらに）０．１〜５０ｍｍの範囲にある。参照番号５３５は水障壁材料を示し、水障壁材料は上に述べたように特にシリコーンとすることができる。「水障壁材料」という用語は、さらに、複数の材料を参照する。図２ａは、さらに、起こり得る水の侵入を破線Ｗで示している。水障壁５３０は媒体材料２７５及び電気コネクタ５１０に十分に接着するように構成されるので、水はさらなる侵入を阻止される。ケーブルと光学媒体材料２７５との間の接着性が最適とは言えないことがあるとき、水はケーブルに沿って侵入することがある。しかしながら、水が水障壁５３０に出会うとき、この水障壁５３０は、電気コネクタ５１０又はケーブルに、及び光学媒体材料２７５に十分に接着しており、それによって、さらなる侵入を効果的に阻止する。
【００９０】
図２ｂは、同様の実施形態を概略的に示す。しかしながら、この実施形態では、一般に銅である導電性トラックの一部が導電性シリコーン５３７によって取り替えられている。ここで、水障壁５３０は、シリコーンのみで実質的に構成され、やはりシリコーンからなる電気コネクタ部分５１２を含む。
【００９１】
図２ｃは、水障壁５３０が、第１のコネクタ部分５１１の少なくとも一部を密閉するように構成され、０．１〜５０ｍｍの範囲から選択された長さｌを有する管状ガラス外囲器５３２を含む一実施形態を概略的に示す。さらに、水障壁５３０はシリコーン接着剤５３１を含む。この概略的に示した実施形態において、シリコーン接着剤５３１の少なくとも一部は、電気コネクタ５１０と管状ガラス外囲器５３２との間に配置される。断面図が図２ｄに示されており、例として、電気コネクタは２つの導電性トラック（二重心線）を含む。上記で示したように、基本的には、インタフェースコネクタ部分５１２は、外部のインタフェースと光学媒体材料２７５との間に配置された電気コネクタの一部と見なされる。このインタフェース部分５１２は破線で示されている。一方の側では、電気コネクタは外部Ｅに延び、他方の側では、電気コネクタ部分は第１の（電気）コネクタ部分５１１として埋め込まれる。したがって、インタフェース部分は、平面、又は仮想平面／周縁である。図２ｃ及び図２ｄを見て分かるように、これらの、しかしさらに他の実施形態の水障壁は、電気コネクタの長さの一部にわたって電気コネクタを円周方向に密閉する。したがって、水障壁は、特に、電気コネクタの長さの一部にわたって電気コネクタと物理的に接触する。このようにして、水が電気コネクタに沿って移動するのを本質的に阻止する水障壁が設けられる。
【００９２】
図２ｅにおいて、概略的に、水障壁５３０がシリコーン接着剤５３１を本質的に含む一実施形態が示される。
【００９３】
図２ｆは、水障壁５３０の位置において、電気コネクタが銅などの金属（導体）Ｍで構成され、水障壁５３０が金属ガラス接続部５３４を形成するガラス５３３を含む一実施形態を概略的に示す。
【００９４】
図２ｇは、光学媒体２７０に埋め込まれた複数の光源２２０を含む要素２１０の一実施形態を概略的に示す。さらに、要素２１０は、光学媒体２７０の外にある電力源に複数の光源２２０を機能的に結合させるための電気コネクタインフラストラクチャ１５１０を含む。電気コネクタインフラストラクチャ１５１０は、１つ又は複数のインタフェースコネクタ部分５１２と、複数の光源２２０に機能的に結合された複数の第１のコネクタ部分５１１とを含む。さらに、要素は、要素２１０にわたって分布した複数の水障壁５３０を含み、少なくとも１つの水障壁５３０は、１つ又は複数のインタフェースコネクタ部分５１２のうちの１つのインタフェースコネクタ部分５１２に隣接して配置される。２つの水障壁５３０がインタフェースコネクタ部分５１２の近くに配置されていることに留意されたい。さらに、複数の他の障壁が、要素２１０、特に光学媒体２７０（要素２１０に埋め込まれた）にわたって分布される。水障壁５３０は、さらに、１つ又は複数の光源２２０を囲むように構成される。したがって、１つ又は複数の光源２２０のサブセットに機能的に結合された第１のコネクタ部分５１１のすべての部分は、水障壁５３０を備えている。そのようにして、１つ又は複数の光源２２０が水侵入から保護される一種の区画又はセクションが製作される。例えば、光学媒体２７０が破損箇所を含む場合でさえ、１つ又は複数の区画は水侵入から保護される。したがって、例えば、ＬＥＤのセクションは保護される。１つ又は複数のワイヤが損傷されるか又は水にさらされる場合、そのような区画又はセクション内のＬＥＤは、実質的に危険にさらされない（破線で示したセクションも参照）。ＬＥＤなどの光源２２０はすべて水障壁５３０によって保護される。
【００９５】
「実質的にすべての光」における又は「実質的に構成される」におけるなどの本明細書の「実質的に」という用語は当業者によって理解されるであろう。「実質的に」という用語は、「全面的に」、「完全に」、「すべて」などをもつ実施形態をさらに含む。したがって、実施形態において、形容詞は実質的に取り除くこともできる。該当する場合、「実質的に」という用語は、９０％以上、例えば、９５％以上など、特に９９％以上、一層さらに特に、１００％を含めて９９．５％以上にも関連する。「備える、含む（ｃｏｍｐｒｉｓｅ）」という用語は、「備える、含む（ｃｏｍｐｒｉｓｅｓ）」という用語が「で構成される（ｃｏｎｓｉｓｔｓ  ｏｆ）」を意味する実施形態も含む。「及び／又は」という用語は、特に、「及び／又は」の前後に述べられたアイテムのうちの１つ又は複数に関連する。例えば、「アイテム１及び／又はアイテム２」という句及び同様の句は、アイテム１及びアイテム２のうちの１つ又は複数に関連する。「備えている、含んでいる（ｃｏｍｐｒｉｓｉｎｇ）」という用語は、一実施形態では「で構成されている（ｃｏｎｓｉｓｔｉｎｇ  ｏｆ）」を参照するが、別の実施形態では「少なくとも定義された種と、オプションとして１つ又は複数の他の種とを含んでいる」ことも参照する。
【００９６】
さらに、明細書及び特許請求の範囲における第１の、第２の、第３のなどの用語は、同様の要素間を区別するために使用され、必ずしも逐次的又は経時的順序を記載するために使用されない。そのように使用される用語は、適切な状況下で交換可能であること、及び本明細書に記載された本発明の実施形態は本明細書に記載又は図示されたもの以外の他の順序での動作が可能であることが理解されるべきである。
【００９７】
本明細書におけるデバイスは、とりわけ、動作中について記載されている。当業者には明らかであるように、本発明は、動作の方法又は動作中のデバイスに限定されない。
【００９８】
上記の実施形態は、本発明を限定するのではなく例証するものであること、及び当業者は添付の特許請求の範囲の範囲から逸脱することなく多くの代替実施形態を設計できることに留意されたい。特許請求の範囲において、括弧間に置かれたいかなる参照符号も請求項を限定するものとして解釈されるべきでない。「備える、含む（ｔｏ  ｃｏｍｐｒｉｓｅ）」という動詞及びその活用形の使用は、請求項に述べられるもの以外の要素又はステップの存在を排除しない。要素の前の「ａ」又は「ａｎ」という冠詞は、複数のそのような要素の存在を排除しない。本発明は、いくつかの別個の要素を含むハードウェアによって、及び適切にプログラムされたコンピュータによって実施される。いくつかの手段を列挙しているデバイス請求項において、これらの手段のうちのいくつかはハードウェアの全く同一のアイテムによって具現され得る。特定の手段が互いに異なる従属請求項に記載されているという単なる事実は、これらの手段の組合せを有利に使用することができないことを示していない。
【００９９】
本発明は、さらに、明細書に記載され及び／又は添付の図面に示された特徴的な機構のうちの１つ又は複数を含むデバイスに当てはまる。本発明は、さらに、明細書に記載され及び／又は添付の図面に示された特徴的な機能のうちの１つ又は複数を含む方法又はプロセスに関する。
【０１００】
本特許で論じている様々な態様は、追加の利点を提供するために組み合わせることができる。さらに、当業者は、実施形態を組み合わせることができること、及び、さらに、２つを超える実施形態を組み合わせることができることを理解するであろう。さらに、特徴の一部は、１つ又は複数の分割出願の基礎を形成することができる。
【図１Ａ】
2020194778.tif 000003
【図１Ｂ】
2020194778.tif 000004
【図１Ｃ】
2020194778.tif 000005
【図１Ｄ】
2020194778.tif 000006
【図１Ｅ】
2020194778.tif 000007
【図１Ｆ】
2020194778.tif 000008
【図１Ｇ】
2020194778.tif 000009
【図２Ａ】
2020194778.tif 000010
【図２Ｂ】
2020194778.tif 000011
【図２Ｃ】
2020194778.tif 000012
【図２Ｄ】
2020194778.tif 000013
【図２Ｅ】
2020194778.tif 000014
【図２Ｆ】
2020194778.tif 000015
【図２Ｇ】
2020194778.tif 000016
【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
要素であって、
（ｉ）１つ又は複数の光源と、
（ｉｉ）ＵＶ放射及び可視放射のうちの１つ又は複数に対して透過性であるシリコーンを含む媒体材料を含む光学媒体であって、前記１つ又は複数の光源が前記光学媒体に埋め込まれている、光学媒体と、
（ｉｉｉ）前記１つ又は複数の光源に電気的に接続するワイヤと、
（ｉｖ）前記要素に分布するとともに、前記ワイヤに隣接する複数の水障壁と
を備える、要素。
【請求項２】
前記複数の水障壁は、前記１つ又は複数の光源を囲むように構成されている、請求項１に記載の要素。
【請求項３】
前記１つ又は複数の光源を含むセクションを含み、前記セクションは、前記複数の水障壁によって定義されている、請求項１又は２に記載の要素。
【請求項４】
前記１つ又は複数の光源は、水侵入から保護される、請求項３に記載の要素。
【請求項５】
電気コネクタを介して電気的に接続されている複数の光源を含み、
前記電気コネクタは、前記１つ又は複数の光源を電気的に接続するワイヤを含み、
それによって、複数の相互接続電気コネクタ部分を提供し、
少なくとも２０％の前記相互接続電気コネクタ部分は、１つ又は複数の水障壁を含む、請求項１乃至４のいずれか一項に記載の要素。
【請求項６】
少なくとも６０％の前記相互接続電気コネクタ部分は、１つ又は複数の水障壁を含む、請求項５に記載の要素。
【請求項７】
ＵＶ放射を発生するための２次元グリッドの光源を含む、請求項１乃至６のいずれか一項に記載の要素。
【請求項８】
前記光学媒体は、前記要素の光放出面を出ていくＵＶ放射の２次元分布を形成するために、前記２次元グリッドの光源からの前記ＵＶ放射の少なくとも一部を前記光学媒体にわたって分配するように配置されている、請求項７に記載の要素。
【請求項９】
前記２次元グリッドの光源は、金網構造で配置されている、請求項７又は８に記載の要素。
【請求項１０】
前記水障壁は、前記媒体材料と電気コネクタとに接着するように構成され、前記水障壁は、シリコーン接着剤を含む、請求項１乃至９のいずれか一項に記載の要素。
【請求項１１】
前記水障壁は、シリコーン接着剤及び０．１〜５０ｍｍの範囲から選択された長さを有する管状ガラス外囲器を含む、請求項１乃至１０のいずれか一項に記載の要素。
【請求項１２】
前記水障壁の位置において、前記電気コネクタは、金属で構成され、前記水障壁は、水密なガラス−金属接続を形成するガラスを含む、請求項１乃至１１のいずれか一項に記載の要素。
【請求項１３】
前記媒体材料は、ポリジメチルシリコーンを含む、請求項１乃至１２のいずれか一項に記載の要素。
【請求項１４】
１ｍ２の前記光学媒体当たり１〜２０００個の前記水障壁を含む、請求項１乃至１３のいずれか一項に記載の要素。
【請求項１５】
前記要素は、ＵＶ放射を含む要素放射を提供するように構成されている、請求項１乃至１４のいずれか一項に記載の要素。
【請求項１６】
請求項１乃至１５のいずれか一項に記載の前記要素と、前記要素からの要素放射を制御する制御システムとを備える、システム。
【請求項１７】
物体であって、前記物体の外面に関連づけられる請求項１乃至１５のいずれか一項に記載の要素を含み、前記１つ又は複数の光源に電力を供給する電力源をさらに含む、物体。
【請求項１８】
前記物体は、船舶及びインフラストラクチャ物体からなる群から選択される、請求項１７に記載の物体。
【請求項１９】
請求項１乃至１５のいずれか一項に記載の要素をもつ物体を用意するための方法であって、（ｉ）前記要素を前記物体の外面に関連づけるステップと、電力源に機能的に結合させるステップとを有する、方法。
【請求項２０】
請求項１乃至１５のいずれか一項に記載の要素を用意するための方法であって、前記方法が、（ｉ）（ａ）１つ又は複数の光源、（ｂ）電力源に前記１つ又は複数の光源を機能的に結合させるための電気コネクタであって、前記１つ又は複数の光源を接続するワイヤを含む、前記電気コネクタ、及び（ｃ）前記ワイヤの少なくとも一部を密閉する水障壁の機能的な組合せを用意するステップと、（ｉｉ）前記１つ又は複数の光源、前記電気コネクタの一部、及び前記水障壁の少なくとも一部を、前記光源の放射に対して透過性であるシリコーンを含む媒体材料を用いてカプセル化して、前記要素を用意するステップと、を有する、方法。
【外国語明細書】
2020194778000001.pdf